(57)【要約】      （修正有）【課題】強制的に継電器の回路を伝導し、或いは強制的に伝導回路を切り替える継電器の構造を提供する。【解決手段】主に台座、外蓋及び天辺蓋で構成する継電器の構造である。該台座と外蓋の間に磁気部品を設置し、回転ボタンが天辺蓋と外蓋を通し、及び天辺蓋に回転ボタンを設置して回すことで、軸方向に欠け口及び凸ブロックの間を移動し、回転ボタンが回転し、且つ軸方向に移動して磁気部品を押す。【選択図】図２
0003175353.tif 000002
【実用新案登録請求の範囲】
【請求項１】
台座、外蓋、天辺蓋、磁気部品及び回転ボタンを含み、
該台座の一端に密閉して設置する外蓋及び該外蓋の一端を密閉して設置する天辺蓋を含み、
該台座と外蓋の間に磁気部品を構成し、
該外蓋の磁気部品の磁気極の近くに通し穴を設け、
該天辺蓋に一つの穴を設け、且つ穴の底辺縁に少なくとも一つの欠け口及び少なくとも一つの凸ブロックを設けることで、該欠け口と該凸ブロックの間に軸方向の距離を形成し、及び、
該穴と通し穴に一つの回転ボタンを通し、該回転ボタンの回りに少なくとも一つの欠け口及び少なくとも一つの凸ブロックにスライドできる少なくとも一つのガイドブロックを設け、
このように、該回転ボタンを回すことでガイドブロックを欠け口から凸ブロックの表面に移動し、回転ボタンの末端を軸方向に移動すると同時に、磁気部品を押すことで強制的に継電器の伝導回路を切り替えることを特徴とする継電器の構造。
【請求項２】
前記天辺蓋に一つののぞき窓を設置し、該磁気部品は更に磁気極の一端に設置する連動シートを含み、該連動シートの末端はのぞき窓の外からのぞき窓の下方に移動して表示することを特徴とする請求項１記載の継電器の構造。
【請求項３】
前記回転ボタンは穴から露出し、上方の端にレバーを設置し、且つ該レバーは回転ボタンから外向けに且つ天辺蓋の方向に傾斜して設置し、そのため、回転ボタンが回転し、該ガイドブロックが凸ブロックに移動した場合、レバーは適切な弾性で変形し、定位効果をもたし、また、回転ボタンのガイドブロックが欠け口に戻ったとき、該レバーが弾性的に回転ボタンを軸方向に元の位置に戻ることを特徴とする請求項１記載の継電器の構造。  
【請求項４】
前記該外蓋の頂部に点灯回路を設置し、該点灯回路は該磁気部品のワイヤーホイール端子と電気接続し、該点灯回路はＬＥＤランプ及び電気抵抗を含み、該天辺蓋に一つのＬＥＤランプを設置し、該光は光穴を通して照射することを特徴とする請求項１記載の継電器の構造。  
【請求項５】
前記台座に一つの接続部品を組み合わせ、該接続部品に含まれるのは一つの接続台及び該接続台の一端と密閉して套合する接続蓋であり、該接続蓋は一つの接続槽を設け、該台座を該接続槽と組み合わせ、及び、
該接続槽に複数の差込穴を開ける一方、該接続台が複数の差込穴と対応して複数のスプリングクリップを設け、該磁気部品の端子は差込穴を通って該スプリングクリップと掛合し、該スプリングクリップは間隔的に積み上げて設置し、及び、
該接続槽の片側槽壁及び槽の底面を繋げた一つの切り口を設け、該切り口の彎曲接続箇所に一つのＬ字型の固定金具を設置し、該固定金具は彎曲箇所を該切り口に設置し、固定金具の一端はリード部であり、槽の底面切り口内に位置し、固定金具の別端は接続槽の槽壁の切り口から突出し、引きブロックを設けることで、該引きブロックを動かすと、リード部が継電器の台座を押して接続槽から離脱することを特徴とする請求項１記載の継電器の構造。  
【請求項６】
前記接続蓋の両側はスプリングクリップの末端に対応してそれぞれ拡充穴を設け、且つ該接続蓋の両側表面に拡充穴に対応して少なくとも一つのレールを設置し、且つ該少なくとも一つのレールに少なくとも一つの表示ボードを構成し、該表示ボードにレールに対応するガイド溝を設け、
更にクロスオーバー端子を含み、該クロスオーバー端子は間隔をおいて排列する複数の差込部を設け、且つ各差込部を単一の継電器にある拡充穴の中に差し込み、拡充穴が対応するスプリングクリップの末端にセットし、また、クロスオーバー端子の末端に一つの保護キャップを套合することを特徴とする請求項５記載の継電器の構造。
【考案の詳細な説明】
【技術分野】
【０００１】
本考案は継電器の構造に関し、特に手動で操作できる継電器に係り、強制的に伝導回路を切り替えるものに関する。
【背景技術】
【０００２】
継電器とは電子コントロール部品であり、通信スイッチや工業コントロール、車両或いはクーラーなど、オートメーション化の電子回路コントロールに応用されている。実際比較的小さい電流を用いて、比較的大きい電流をコントロールする一種の電子式自動スイッチである。継電器が電子回路での役割は、自動調節、安全保護、回路転換などである。
【０００３】
継電器は構造の特徴に基づき、電磁継電器、サーミスターセンサーリードリレー(Thermistor Sensors REED RELAY)、ソリッドステートリレーなどに分けることができ、電磁継電器は一般的にワイヤーホイール、コイル、コア、磁気極などの構造で構成する。コイルの両端に一定の電圧を加えることで、コイルに流れる電流に電磁効果が生まれるため、磁気極は中弾性シート或バネ張力に対抗してコアに引き付けられる。即ち回路の伝導及び切替えの動作の実行とすることができる。
【０００４】
上記の従来技術は磁気効果及び弾力を利用したデザインであり、継電器の回路伝導或いは切り替えなどの実行を行う。しかし、特定の機具を使用する環境にある継電器は、強制的に回路を伝導或いは強制的に伝導回路の切り替えが必要である。或いは継電器内部にある接点機構は常時スイッチをオフであるものを常時スイッチをオンにし、工場出荷時状態に戻す機能が必要な場合、上記の継電器では実用性に不足があるため、強制的に回路を伝導し、或いは強制的に伝導回路を切り替える継電器に改善するが必要があった。
【先行技術文献】
【特許文献】
【０００５】
【特許文献１】特開２００５−１８３２７８号公報
【考案の概要】
【考案が解決しようとする課題】
【０００６】
前記従来技術の欠点を解決するため、本考案は手動で操作できる継電器を考案し、強制的に回路を伝導し、或いは強制的に伝導回路を切り替える継電器を提供することを主な課題とする。
【課題を解決するための手段】
【０００７】
上述の目的を解決するため、本考案の継電器は台座、該台座の一端に密閉して設置する外蓋及び該外蓋の一端を密閉して設置する天辺蓋を含む。
【０００８】
該台座と外蓋の間に磁気部品を構成する。
【０００９】
該外蓋の磁気部品の磁気極の近くに通し穴を設ける。
【００１０】
該天辺蓋に一つの穴を設け、且つ穴の底辺縁に少なくとも一つの欠け口及び少なくとも一つの凸ブロックを設けることで、該欠け口と該凸ブロックの間に軸方向の距離を形成する。また、該穴と通し穴に一つの回転ボタンを通し、該回転ボタンの回りに少なくとも一つの欠け口及び少なくとも一つの凸ブロックにスライドできる少なくとも一つのガイドブロックを設ける。
【００１１】
このように、該回転ボタンを回すことでガイドブロックを欠け口から凸ブロックの表面に移動し、回転ボタンの末端を軸方向に移動すると同時に、磁気部品を押すことで強制的に継電器の伝導回路を切り替える。
【００１２】
本考案の継電器の技術特徴は下記の通り：
1.該天辺蓋に一つののぞき窓を設置する。該磁気部品は更に磁気極の一端に設置する連動シートを含み、該連動シートの末端はのぞき窓の外からのぞき窓の下方に移動して表示する。
【００１３】
２.該回転ボタンは穴(即ち天辺蓋の表面)から露出し、上方の端に(シート状)レバーを設置し、且つ該レバーは回転ボタンから外向けに且つ天辺蓋の方向に傾斜して設置する。そのため、回転ボタンが回転し、該ガイドブロックが凸ブロックに移動した場合、レバーは適切な弾性で変形し、定位効果をもたらす。また、回転ボタンのガイドブロックが欠け口に戻ったとき、該レバーが弾性的に回転ボタンを軸方向に元の位置に戻る。
【００１４】
３.該外蓋の頂部に点灯回路を設置し、該点灯回路は該磁気部品のワイヤーホイール端子と電気接続する。該点灯回路はＬＥＤランプ及び電気抵抗を含む。該天辺蓋に一つのＬＥＤランプを設置し、該光は光穴を通して照射する。
【００１５】
４.本考案は更に該台座に一つの接続部品を組み合わせ、該接続部品に含まれるのは一つの接続台及び該接続台の一端と密閉して套合する接続蓋である。該接続蓋は一つの接続槽を設け、該台座を該接続槽と組み合わせる。該接続槽に複数の差込穴を開ける一方、該接続台が複数の差込穴と対応して複数のスプリングクリップを設ける。該磁気部品の端子は差込穴を通って該スプリングクリップと掛合する。図の中の左側にあるスプリングクリップは間隔的に積み上げて設置する。
【００１６】
５.該接続槽の片側槽壁及び槽の底面を繋げた一つの切り口を設け、該切り口の彎曲接続箇所に一つのＬ字型の固定金具を設置する。固定金具は彎曲箇所を該切り口に設置する。固定金具の一端はリード部であり、槽の底面切り口内に位置する。固定金具の別端は接続槽の槽壁の切り口から突出し、引きブロックを設けることで、該引きブロックを動かすと、リード部が継電器の台座を押して接続槽から離脱する。
【００１７】
６.該接続蓋の両側はスプリングクリップの末端に対応してそれぞれ拡充穴を設け、且つ該接続蓋の両側表面に拡充穴に対応して少なくとも一つのレールを設置する。且つ該少なくとも一つのレールに少なくとも一つの表示ボードを構成する。該表示ボードにレールに対応するガイド溝を設ける。
【００１８】
７.本考案は更にクロスオーバー端子を含む。該クロスオーバー端子は間隔をおいて排列する複数の差込部を設け、且つ各差込部を単一の継電器にある拡充穴の中に差し込み、拡充穴が対応するスプリングクリップの末端にセットする。また、クロスオーバー端子の末端に一つの保護キャップを套合する。
【考案の効果】
【００１９】
本考案は台座、外蓋及び天辺蓋、台座と外蓋の間に磁気部品を含み、回転ボタンが天辺蓋と外蓋を通し、及び天辺蓋に回転ボタンを設置して回すことで、軸方向に欠け口及び凸ブロックの間を移動し、回転ボタンが回転し、且つ軸方向に移動して磁気部品を押すために、強制的に継電器の回路を伝導或いは強制的に伝導回路を切り替える。
【図面の簡単な説明】
【００２０】
【図１】本考案の継電器の組み合わせ状態の立体略図である。
【図２】本考案の局部分解状態の立体略図である。
【図３】本考案が強制的に動作を切り替える前の透視略図である。
【図４】本考案が強制的に動作を切り換えた後の透視略図である。
【図５】本考案の継電器を接続部品に組みあせた状態の立体略図である。
【図６】本考案の接続部品の局部分解状態立体略図である。
【図７】本考案の継電器が接続部品とクロスオーバー端子を組合わせる立体略図である。
【考案を実施するための形態】
【実施例】
【００２１】
本考案は主に手動で操作できる継電器を提供するものである。強制的に回路を伝導し、或いは強制的に伝導回路を切り替える継電器であり、特に常時オフしてある接点スイッチは、強制的に常時オンする接点スイッチに切り替え、通常状態に戻す機能を必要とするユーザー対象である。上述の目的と効果に達するため、本考案の最良実施例は、図１から図４に示すように、本考案の継電器は台座１、該台座１の一端に密閉して設置する外蓋２及び該外蓋２の一端を密閉して設置する天辺蓋３を含む。
【００２２】
該台座１と外蓋２の間に磁気部品４を構成する。該磁気部品４に含まれるのは磁気極４１、ワイヤーホイール４２、ワイヤーホイール端子４３、連動シート４４、挿入シート４５、中弾性シート４６、伝導端子４７、４８で構成する。該ワイヤーホイール端子４３は該台座１と外蓋２をつき抜け、且つワイヤーホイール端子４３はワイヤーホイール４２と電気接続する。該磁気極４１はＬ字型部品の形状であり、該一端はワイヤーホイール４２の頂上端と対応する。連動シート４４を磁気極４１の別端に設置し、且つ該磁気極４１は該挿入シート４５と組み合わせ、該挿入シート４５の末端は中弾性シート４６と組み合わせ、同時に該中弾性シート４６は両側伝導端子４７、４８の間に位置する。
【００２３】
該外蓋２は光を通す材質で作られる。該外蓋２の磁気部品４の磁気極４１の近くに通し穴２１を設ける。該外蓋２の頂部に点灯回路５を設置し、該点灯回路５は該磁気部品４のワイヤーホイール端子４３と電気接続する。該点灯回路５はＬＥＤランプ５１及び電気抵抗５２を含む。
【００２４】
該天辺蓋３に一つの穴３１を設け、且つ穴３１の底辺縁に少なくとも一つの欠け口３１１及び少なくとも一つの凸ブロック３１２(実施例では二つの欠け口３１１と二つの凸ブロック３１２が交互に排列して設置)を設けることで、該欠け口３１１と該凸ブロック３１２の間に軸方向の距離を形成する。また、該穴３１と通し穴２１に一つの回転ボタン３２を通し、該回転ボタン３２の回りに少なくとも一つの欠け口３１１及び少なくとも一つの凸ブロック３１２にスライドできる少なくとも一つのガイドブロック３２１を設ける。該回転ボタン３２は穴３１(即ち天辺蓋３の表面)から露出し、上方の端にレバー３２２を設置し、且つ該レバー３２２は回転ボタン３２から外向けに且つ天辺蓋３の方向に傾斜して設置する。そのため、回転ボタン３２が回転し、該ガイドブロック３２１が凸ブロック３１２に移動した場合、レバー３２２は適切な弾性で変形し、定位効果をもたらす。また、回転ボタン３２のガイドブロック３２１が欠け口３１１に戻ったとき、該レバー３２２が弾性的に回転ボタン３２を軸方向に元の位置に戻る。該天辺蓋３に一つののぞき窓３３を設置する。該天辺蓋３に一つのＬＥＤランプ５１の光を照射するための光穴３４を設ける。
【００２５】
本考案の操作方法は図１〜図４に示す通りである。継電器の回路伝導を強制的に切り替えるとき、ユーザーは該回転ボタン３２のレバー３２２を回すだけで、該回転ボタン３２のガイドブロック３２１の欠け口３１１の位置を横向きに凸ブロック３１２の表面に移動させる。欠け口３１１と該凸ブロック３１２の間に軸方向の距離を形成しているため、該回転ボタン３２を回転する過程において、該回転ボタン３２は同時に軸方向に位置を移動し、回転ボタン３２の末端は磁気極４１の一端を押すことになる。一方磁気極４１の別端は挿入シート４５と共に横向きに位置を移動し、それにより挿入シート４５の末端は横向きに中弾性シート４６を押すため、該中弾性シート４６は右側の伝導端子４７から左側伝導端子４８に移動して接触伝導する。よって、継電器の伝導回路を強制的に切り替えることができる。また、磁気極４１と挿入シート４５が横向きに移動すると同時に、該端の磁気極４１は該連動シート４４と共に動くため、該連動シート４４の末端が天辺蓋３ののぞき窓３３の外からのぞき窓３３の下方に移動して表示することで、ユーザーに手動により強制切り替え完了を知らせることが、本考案の目的及び効果である。
【００２６】
図５及び図６に示すように、本考案は更に該台座１に一つの接続部品６を組み合わせ、該接続部品６に含まれるのは一つの接続台６１及び該接続台６１の一端と密閉して套合する接続蓋６２である。該接続蓋６２は一つの接続槽６２１を設け、該台座１を該接続槽６２１と組み合わせる。該接続槽６２１に複数の差込穴６２２を開ける一方、該接続台６１が複数の差込穴６２２と対応して複数のスプリングクリップ６１１を設ける。該磁気部品４の伝導端子４７、４８、中弾性シート４６及び該ワイヤーホイール端子４３は差込穴６２２を通って該スプリングクリップ６１１と掛合する。図の中の左側にあるスプリングクリップ６１１は間隔的に積み上げて設置する。該スプリングクリップ６１１はこの設置方法を通じて、有効的に接続部品６の幅を減らし、一定スペースの中で多くの継電器と接続部品６の組み合わせを行うことができる。
【００２７】
また、該接続蓋６２は該接続槽６２１の片側槽壁及び槽の底面を繋げた一つの切り口６２３を設け、該切り口６２３の彎曲接続箇所に一つのＬ字型の固定金具６３を設置する。固定金具６３は彎曲箇所を該切り口６２３に設置する。固定金具６３の一端はリード部６３１であり、槽の底面切り口６２３内に位置する。固定金具６３の別端は接続槽６２１の槽壁の切り口６２３から突出し、引きブロック６３２を設けることで、該引きブロック６３２を動かすと、リード部６３１が継電器の台座１を押して接続槽６２１から離脱する。
【００２８】
該接続蓋６２の両側はスプリングクリップ６１１の末端に対応してそれぞれ拡充穴６２４を設け、且つ該接続蓋６２の両側表面に拡充穴６２４に対応して少なくとも一つのレール６２５を設置する。且つ該少なくとも一つのレール６２５に少なくとも一つの表示ボード６４を構成する。該表示ボード６４にレール６２５に対応するガイド溝６４１を設け、該表示ボード６４はサイドにあるスプリングクリップ６１１を表示し、間接的に該スプリングクリップ６１１が対応する伝導端子４７、４８、中弾性シート４６或いは該ワイヤーホイール端子４３を表示する。
【００２９】
図５〜図７に示すように、本考案は更にクロスオーバー端子６５を含む。図に示す該クロスオーバー端子６５は間隔をおいて排列する複数の差込部６５１を設け、且つ各差込部６５１を単一の継電器にある拡充穴６２４の中に差し込み、拡充穴６２４が対応するスプリングクリップ６１１の末端にセットする。このような組み合わせ方法により、クロスオーバー端子６５及び接続部品６は間接的に数個の継電器のクロスオーバー形態を完成する。また、クロスオーバー端子６５の末端に一つの保護キャップ６５２を套合する。
【００３０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。  
【符号の説明】
【００３１】
１  台座
２  外蓋
２１  通し穴
３  天辺蓋
３１  穴
３１１  欠け口
３１２  凸ブロック
３２  回転ボタン
３２１  ガイドブロック
３２２  レバー
３３  のぞき窓
３４  光穴
４  磁気部品
４１  磁気極
４２  ワイヤーホイール
４３  ワイヤーホイール端子
４４  連動シート
４５  挿入シート
４６  中弾性シート
４７  伝導端子
４８  伝導端子
５  点灯回路
５１  ＬＥＤランプ
５２  電気抵抗
６  接続部品
６１  接続台
６１１  スプリングクリップ
６２  接続蓋
６２１  接続槽
６２２  差込穴
６２３  切り口
６２４  拡充穴
６２５  レール
６３  固定金具
６３１  リード部
６３２  引きブロック
６４  表示ボード
６４１  ガイド溝
６５  クロスオーバー端子
６５１  差込部
６５２  保護キャップ
【図１】
0003175353.tif 000003
【図２】
0003175353.tif 000004
【図３】
0003175353.tif 000005
【図４】
0003175353.tif 000006
【図５】
0003175353.tif 000007
【図６】
0003175353.tif 000008
【図７】
0003175353.tif 000009